(57)【要約】【課題】      計量皿を簡単に着脱すること【解決手段】  標準計量皿１４は、本体部１４０と、スカート部１４１とを有している。計量皿１０は、平坦部１００と、折返し部１０１と、取手１０２と、第１および第２係止部１０３，１０４とを備えている。取手１０２は、一方の折返し部１０１の下端に係止されていて、折返し部１０１の内方に延設された部分が、第１係止部１０３となっている。計量皿１０は、取手１０２を介して、折返し部１０１が外側に開くように弾性変形させた状態で、第２係止部１０４を、標準計量皿１４のスカート部１４１の下端に差し込んで、この状態で、取手１０２を開放すると、弾性変形していた折返し部１０１が元の状態に戻り、この際に、取手１０２の先端に設けられている第１係止部１０３が、スカート部１４１の下方に入り込んで、計量皿１０が標準計量皿１４に着脱可能に取付固定される。【選択図】    図３
2006275893.tif 000002
【特許請求の範囲】
【請求項１】
計量器本体に設けられる標準計量皿，皿受け，計量機構部に着脱可能に取付けられる計量皿であって、
前記計量皿は、前記標準計量皿，皿受け，計量機構部のいずれか１つから選択される被固定部の外周縁に固定可能な嵌合部または係止部を備えたことを特徴とする計量皿。
【請求項２】
前記嵌合部または係止部は、前記計量皿の対向する位置に一対設けることを特徴とする請求項１または２記載の計量皿。
【請求項３】
前記嵌合部は、相互に嵌合可能な凹凸部あって、当該凹凸部のうち凹部を前記計量皿または前記被固定部のいずれか一方に配置するとともに、凸部を前記計量皿または前記被固定部のいずれか他方に配置することを特徴とする請求項１記載の計量皿。
【請求項４】
前記計量皿に配置された前記凹部または凸部あるいは係止部は、その近傍に取手などの変形付与部を備え、
前記変形付与部により前記計量皿の一部を弾性変形させて前記被固定部に着脱させることを特徴とする請求項１〜３のいずれか１項記載の計量皿。
【請求項５】
前記変形付与部は、その近傍に剛性を低下させるスリットなどの変形補助部を有することを特徴とする請求項４記載の計量皿。
【請求項６】
前記計量皿は、正方形状に形成され、前記計量皿よりも小面積を有する概略円形状の前記標準計量皿の外周縁に、前記計量皿を着脱可能に装着することを特徴とする請求項１〜５のいずれか１項記載の計量皿。
【請求項７】
前記標準計量皿は、対向する２箇所に、前記本体部の幅と同一幅とする切欠部が設けられ、前記正方形状の対向する２辺間の幅を、これらの幅と概略同一にすることを特徴とする請求項６記載の計量皿。
【請求項８】
前記嵌合部は、前記計量皿または被固定部のいずれか一方に設けられた凸部ないしは突起と、前記計量皿または被固定部のいずれか他方に設けられ、前記凸部ないしは突起の挿入可能な凹溝ないしは切欠溝から構成され、
前記凸部ないしは突起を、前記凹溝ないしは切欠溝内に挿入して、前記計量皿を所定方向に回転させることにより、前記被固定部に着脱可能に取付けることを特徴とする請求項１または２記載の計量皿。
【請求項９】
前記計量皿は、表面に装着時の方向認識を可能にする記号，文字などの認識部が、印刷，塗布，刻印などの手段により施されていることを特徴とする請求項１〜８のいずれか１項記載の計量皿。
【請求項１０】
前記変形付与は、変形を与える時の操作の参考となる記号，文字などの操作表現示唆部が近傍に施されていることを特徴とする請求項４〜１０のいずれか１項記載の計量皿。
【発明の詳細な説明】
【技術分野】
【０００１】
この発明は、計量皿に関し、特に、計量器の標準計量皿として利用可能であり、また、標準計量皿，皿受け，計量機構部に、着脱自在に取付けられる計量皿に関するものである。
【背景技術】
【０００２】
天びん・はかりなどの計量器には、計量物を載せるための計量皿が用いられており、例えば、その一例が特許文献１に開示されている。この種の計量皿は、一般に、円形ないしは正方形状に形成され、材料には、厚みの薄い金属や合成樹脂が用いられているが、衛生面や耐蝕性の観点から、ステンレス材などの金属製のものの要求が増加している。
【０００３】
また、一般的に、高価なはかりと秤量の大きなはかりでは、品質，強度を維持するために、通常金属製の計量皿が使用され、小型のはかりでは、コストを重視して、合成樹脂製の皿が使用されている。
【０００４】
このような市場要求とコストアップの問題を解決するために、オプション設定として、ステンレス製の金属皿を顧客の要求に応じて提供すべく準備しているが、この場合に、以下に説明する課題があった。
【特許文献１】実開昭６３−２２６号公報
【発明の開示】
【発明が解決しようとする課題】
【０００５】
すなわち、オプション設定の金属皿は、標準付属となっている樹脂製皿の上に載せて使用することになるが、単に、標準計量皿の上に金属皿を載せただけの構成では、持ち運び時に金属皿が落下したり、金属皿の安定性に欠けるので、計量物がこぼれ落ちるなどの問題があった。
【０００６】
このような問題を解決するために、例えば、金属皿を標準計量皿に両面テープや接着剤などで固定する商品も提供されているが、このような解決手段では、金属皿の着脱が非常に面倒になり、衛生上の観点から、金属皿を取外して洗浄したいというユーザーの要求に応えることができないという問題があった。
【０００７】
本発明は、このような従来の問題点に鑑みてなされたものであって、その目的とするところは、工具などを使用することなく、素手で、簡単に着脱することができる計量皿を提供することにある。
【課題を解決するための手段】
【０００８】
上記目的を達成するために、本発明は、計量器本体に設けられる標準計量皿，皿受け，計量機構部に着脱可能に取付けられる計量皿であって、前記計量皿は、前記標準計量皿，皿受け，計量機構部のいずれか１つから選択される被固定部の外周縁に固定可能な嵌合部または係止部を備えるようにした。
【０００９】
このように構成した計量皿によれば、標準計量皿，皿受け，計量機構部のいずれか１つから選択される被固定部の外周縁に固定可能な嵌合部または係止部を備えているので、計量皿を標準計量皿，皿受け，計量機構部に、簡単に着脱することができる。
【００１０】
前記嵌合部または係止部は、前記計量皿の対向する位置に一対設けることができる。
【００１１】
この構成によれば、嵌合部または係止部が、計量皿の対向する位置に一対設けられるので、計量皿を被固定部に安定して取り付けることができる。
【００１２】
前記嵌合部は、相互に嵌合可能な凹凸部あって、当該凹凸部のうち凹部を前記計量皿または前記被固定部のいずれか一方に配置するとともに、凸部を前記計量皿または前記被固定部のいずれか他方に配置することができる。
【００１３】
この構成によれば、凹凸嵌合により、計量皿を簡単に着脱することができる。
【００１４】
前記計量皿に配置された前記凹部または凸部あるいは係止部は、その近傍に取手などの変形付与部を備え、前記変形付与部により前記計量皿の一部を弾性変形させて前記被固定部に着脱させることができる。
【００１５】
この構成によれば、変形付与部により前記計量皿の一部を弾性変形させて被固定部に着脱させるので、一層簡単に計量皿を着脱することができる。
【００１６】
前記変形付与部は、その近傍に剛性を低下させるスリットなどの変形補助部を設けることができる。
【００１７】
この構成によれば、変形補助部を設けるとこで、弾性変形が容易に行えるので、より一層簡単に計量皿を着脱することができる。
【００１８】
前記計量皿は、概略正方形状に形成され、前記計量皿よりも小面積を有する概略円形状の前記標準計量皿の外周縁に、前記計量皿を着脱可能に装着することができる。
【００１９】
この構成によれば、使用可能となる皿の面積を簡単に大きくすることができる。
【００２０】
前記標準計量皿は、対向する２箇所に、前記本体部の幅と同一幅とする切欠部が設けられ、前記正方形状の対向する２辺間の幅を、これらの幅と概略同一にすることができる。
【００２１】
この構成によれば、正方形状の計量皿を装着する際の位置決めを簡単に行うことができる。
【００２２】
前記嵌合部は、前記計量皿または被固定部のいずれか一方に設けられた凸部ないしは突起と、前記計量皿または被固定部のいずれか他方に設けられ、前記凸部ないしは突起の挿入可能な凹溝ないしは切欠溝から構成され、前記凸部ないしは突起を、前記凹溝ないしは切欠溝内に挿入して、前記計量皿を所定方向に回転させることにより、前記被固定部に着脱可能に取付けることができる。
【００２３】
前記計量皿は、表面に装着時の方向認識を可能にする記号，文字などの認識部が、印刷，塗布，刻印などの手段により施すことができる。
【００２４】
前記変形付与は、変形を与える時の操作の参考となる記号，文字などの操作表現示唆部を近傍に施すことができる。
【発明の効果】
【００２５】
本発明にかかる計量皿によれば、例えば、ステンレス製の金属皿を、工具などを使用することなく、素手で、簡単に着脱することができる。また、着脱可能な計量皿を標準計量皿，皿受け，計量機構部に取付けたまま収納すると、これらの一体管理が可能になり、別管理による計量皿の紛失を防止することができる。
【発明を実施するための最良の形態】
【００２６】
以下、本発明の好適な実施の形態について、添付図面に基づいて詳細に説明する。
【実施例１】
【００２７】
図１〜図３は、本発明に係る計量皿の第１実施例を示している。これらの図に示した計量皿１０は、天びん、ないしは、はかりの計量器本体１２に設けられる標準計量皿，皿受け，計量機構部に着脱自在に取付けられるものであり、本実施例の場合には、計量皿１０の被固定部として、標準計量皿１４が選択されている。
【００２８】
標準計量皿１４は、例えば、金属や合成樹脂製であって、平坦な概略円形状に形成された本体部１４０と、円形状の本体部１４０の外周縁に垂設された円環状のスカート部１４１と、本体部１４０の側面に設けられた一対の切欠部１４２を有していて、平行に切欠された部分の幅Ｗが、計量器本体１２の横幅とほぼ同じ大きさになっている。
【００２９】
標準計量皿１４の背面側の中心には、支持軸１６が固設されていて、この支持軸１６を介して、計量器本体１２内に内蔵されている荷重計量部に、測定対象物の荷重が伝達されるようになっている。標準計量皿１４は、スカート部１４１の下端が、計量器本体１２の上面から上方に離間するように配置されている。
【００３０】
計量皿１０は、弾性変形が可能な薄いステンレスなどの金属板や合成樹脂板から形成され、本実施例の場合、概略正方形に形成された平坦部１００と、この平坦部１００の対向する２辺に設けられた一対の折返し部１０１と、変形付与部としての取手１０２と、第１および第２係止部１０３，１０４とを備えている。
【００３１】
平坦部１００は、折返し部１０１が設けられていない方の長さが、標準計量皿１４の切欠部１４２間の幅Ｗと同じ大きさになっているとともに、折返し部１０１が設けられている側の長さは、本体部１４０の直径よりも若干大きくなっている。
【００３２】
取手１０２は、一方の折返し部１０１の下端に固設されていて、折返し部１０１の内方に延設された部分が、第１係止部１０３となっている。第２係止部１０４は、取手１０２と対向する他方の折返し部１０１の下端に固設された突起から構成され、これらの第１および第２係止部１０３，１０４は、計量皿１０の平坦部１００の中心軸上にあって、互いに対向する位置に配置されている。
【００３３】
このように構成した計量皿１０は、取手１０２外端を、図１に実線矢印で示すように、上方側に回動させて、折返し部１０１が外側に開くように弾性変形させた状態で、第２係止部１０４を、標準計量皿１４のスカート部１４１の下端に差し込んで、折返し部１０１の内面に、スカート部１４１を当接させる。
【００３４】
そして、この状態で、取手１０２を開放すると、弾性変形していた折返し部１０１が、弾性復帰して元の状態に戻り、この際に、取手１０２の先端に設けられている第１係止部１０３が、スカート部１４１の下方に入り込んで、計量皿１０が標準計量皿１４に取付固定される。
【００３５】
この際に、折返し部１０１が設けられていない方の長さが、標準計量皿１４の切欠部１４２間の幅Ｗと同じ大きさになっているので、計量皿１０を取り付ける時の位置決めとして、利用することができるとともに、計量皿１０を取り付けたままで、はかりを保管する際には、切欠部１４２が設けられている側面を立てた状態で行うことができ、はかりを立てても計量皿１０は、脱落することがない。
【００３６】
また、計量皿１０を標準計量皿１４に固定した状態では、対向する位置に設けられた第１および第２係止部１０３，１０４が、標準計量皿１４のスカート部１４１の対向する部分の２箇所で、その下方から係止されるので、計量皿１０を安定した状態で固定することができる。
【００３７】
計量皿１０を取り外す際には、上述した取付ける場合と同様に、取手１０２を上方に回動させて、折返し部１０１を弾性変形させて、第１係止部１０３をスカート部１４１の下端から離間させて、その後に、第２係止部１０４をスカート部１４１の下端から離間させればよい。
【００３８】
さて、以上のように構成した計量皿１０によれば、計量皿１０は、標準計量皿１４（被固定部）の外周縁に固定可能な係止部１０３，１０４を備えているので、計量皿１０を標準計量皿１４に簡単に着脱することができる。
【００３９】
また、本実施例では、計量皿１０に係止部１０３は、その近傍に取手１０２（変形付与部）を備え、取手１０２により計量皿１０の一部を変形させて標準計量皿１４（被固定部）に着脱させるので、一層簡単に計量皿を着脱することができる。
【００４０】
さらに、本実施例の場合には、計量皿１０の平坦部１００は、標準計量皿１４の略円形状の本体部１４０よりも大きな面積を有しているので、計量時に使用可能となる皿面積を増大することができる。
【実施例２】
【００４１】
図４〜図６は、本発明に係る計量皿の第２実施例を示しており、上記実施例と同一もしくは相当する部分には、それぞれ対応した符号を付して、その説明を省略するとともに、以下にその特徴点についてのみ詳述する。
【００４２】
これらの図に示した計量皿１０ａは、上記実施例と同様に、平坦部１００ａと、折返し部１０１ａと、取手１０２ａと、第１および第２係止部１０３ａ，１０４ａを有している。
【００４３】
本実施例の場合、折返し部１０１ａは、平坦部１００ａの四辺に設けられていて、一方の対向する２辺に第１および第２係止部１０３ａ，１０４ａが配置されると共に、他方の対向する２辺には、図６に示すように、角形の窓孔１０５ａと、スリット１０６ａが設けられている。
【００４４】
スリット１０６ａは、窓孔１０５ａが設けられている部分の近傍に位置している折返し部１０１ａの弾性変形を容易にするためのものであって、窓孔１０５ａの両側に配置されている。一方、標準計量皿１４ａは、概略円形の本体部１４０ａと、スカート部１４１ａと、切欠部１４２ａとを備え、切欠部１４２ａには、外方に突出する突起１４３ａが設けられている。
【００４５】
このように構成された計量皿１０ａでは、標準計量皿１４ａにこれを取付ける際には、上記実施例と同様に、第１および第２係止部１０３ａ，１０４ａをスカート部１４１ａの下端に係止させると共に、突起１４３ａが各窓孔１０５ａ内に挿入される。
【００４６】
この際に、計量皿１０ａは、図４に示すように、所定の可動ストロークが確保されている。また、突起１４３ａを窓孔１０５ａ内に挿入するときには、窓孔１０５ａの周辺を外側に向けて、弾性変形させて行い、この際に、スリット１０６ａが、この弾性変形をアシストする。
【００４７】
本実施例の場合には、上記実施例の作用効果に加えて、計量皿１０ａが４箇所で支持されるので、取付け固定された状態の安定性が、より一層向上する。
【実施例３】
【００４８】
図７は、本発明に係る計量皿の第３実施例を示しており、上記実施例と同一もしくは相当する部分には、それぞれ対応した符号を付して、その説明を省略するとともに、以下にその特徴点についてのみ詳述する。
【００４９】
この図に示した計量皿１０ｂは、上記実施例と同様に、平坦部１００ｂと、折返し部１０１ｂと、取手１０２ｂとを有している。本実施例の場合、平坦部１００ｂの形状は、標準計量皿１４ｂの本体部１４０ｂの形状と相似形であってそれよりも若干大きな相似形状になっている。
【００５０】
そして、本実施例の場合には、上記実施例の第１および第２係止部に替えて、折返し部１０１ｂの対向する部分には、外方に突出する凸部１０７ｂが、折返し部１０１ｂのほぼ幅方向の中間に設けられている。
【００５１】
一方、標準計量皿１４ｂは、概略円形の本体部１４０ｂと、スカート部１４１ｂとを備え、スカート部１４１ｂの側面には、凸部１０７ｂと嵌合可能な凹部１４４ｂが設けられている。
【００５２】
このように構成した計量皿１０ｂは、図７（Ｂ）に示すように、凸部１０７ｂを凹部１１４ｂに嵌合することにより、着脱可能に標準計量皿１４ｂに取付けられ、上記第１実施例と同等の作用効果が得られる。
【実施例４】
【００５３】
図８は、本発明に係る計量皿の第４実施例を示しており、上記実施例と同一もしくは相当する部分には、それぞれ対応した符号を付して、その説明を省略するとともに、以下にその特徴点についてのみ詳述する。
【００５４】
この図に示した計量皿１０ｃは、上記実施例と同様に、平坦部１００ｃと、折返し部１０１ｃと、取手１０２ｃとを有している。本実施例の場合、平坦部１００ｃの形状は、標準計量皿１４ｃの本体部１４０ｃの形状と相似形であってそれよりも若干大きな相似形状になっている。
【００５５】
そして、本実施例の場合には、上記実施例の第１および第２係止部に替えて、折返し部１０１ｃの対向する部分には、外方に突出する凸部１０７ｃが、折返し部１０１ｂの下端に設けられている。
【００５６】
一方、標準計量皿１４ｃは、概略円形の本体部１４０ｃと、スカート部１４１ｃとを備え、スカート部１４１ｃの側面の下端側には、凸部１０７ｃと嵌合可能な凹部１４４ｃが設けられている。
【００５７】
このように構成した計量皿１０ｃは、図８（Ｂ）に示すように、凸部１０７ｃを凹部１４４ｃに嵌合することにより、着脱可能に標準計量皿１４ｃに取付けられ、上記第３実施例と同等の作用効果が得られる。
【実施例５】
【００５８】
図９は、本発明に係る計量皿の第５実施例を示しており、上記実施例と同一もしくは相当する部分には、それぞれ対応した符号を付して、その説明を省略するとともに、以下にその特徴点についてのみ詳述する。
【００５９】
この図に示した計量皿１０ｄは、上記実施例と同様に、平坦部１００ｄと、折返し部１０１ｄと、取手１０２ｄとを有している。本実施例の場合、平坦部１００ｄの形状は、標準計量皿１４ｄの本体部１４０ｄの形状と相似形であってそれよりも若干大きな相似形状になっている。
【００６０】
そして、本実施例の場合には、上記実施例の第１および第２係止部に替えて、折返し部１０１ｄの対向する部分には、外方に屈曲した凹部１０８ｄが、折返し部１０１ｄのほぼ幅方向の中間に設けられている。
【００６１】
一方、標準計量皿１４ｄは、概略円形の本体部１４０ｄと、スカート部１４１ｄとを備え、スカート部１４１ｄの側面には、凹部１０８ｄｂと嵌合可能な凸部１４５ｄが突出形成されている。
【００６２】
このように構成した計量皿１０ｄは、図９（Ｂ）に示すように、凸部１４５ｄを凹部１８１ｄに嵌合することにより、着脱可能に標準計量皿１４ｄに取付けられ、上記第１実施例と同等の作用効果が得られる。
【実施例６】
【００６３】
図１０は、本発明に係る計量皿の第６実施例を示しており、上記実施例と同一もしくは相当する部分には、それぞれ対応した符号を付して、その説明を省略するとともに、以下にその特徴点についてのみ詳述する。
【００６４】
この図に示した計量皿１０ｅは、上記実施例と同様に、平坦部１００ｅと、折返し部１０１ｅと、取手１０２ｅとを有している。本実施例の場合、平坦部１００ｅの形状は、標準計量皿１４ｅの本体部１４０ｅの形状と相似形であってそれよりも若干大きな相似形状になっている。
【００６５】
そして、本実施例の場合には、上記実施例の第１および第２係止部に替えて、折返し部１０１ｅの対向する部分には、円形の貫通孔１０９ｅが、折返し部１０１ｄのほぼ幅方向の中間に設けられているとともに、貫通孔１０９ｅの両側には、弾性変形をし易くするための一対のスリット１１０ｅが切欠形成されている。
【００６６】
一方、標準計量皿１４ｅは、概略円形の本体部１４０ｅと、スカート部１４１ｅとを備え、スカート部１４１ｅの側面には、貫通孔１０９ｅ内に嵌合挿入可能な凸部１４５ｅが突出形成されている。
【００６７】
このように構成した計量皿１０ｅは、図１０（Ｂ）に示すように、凸部１４５ｅを貫通孔１０９ｅ内に嵌合挿入することにより、着脱可能に標準計量皿１４ｅに取付けられ、上記第１実施例と同等の作用効果が得られる。
【実施例７】
【００６８】
図１１は、本発明に係る計量皿の第７実施例を示しており、上記実施例と同一もしくは相当する部分には、それぞれ対応した符号を付して、その説明を省略するとともに、以下にその特徴点についてのみ詳述する。
【００６９】
この図に示した計量皿１０ｆは、上記実施例と同様に、平坦部１００ｆと、折返し部１０１ｆと、取手１０２ｆとを有している。本実施例の場合、平坦部１００ｆの形状は、標準計量皿１４ｆの本体部１４０ｆの形状と相似形であってそれよりも若干大きな相似形状になっている。
【００７０】
そして、本実施例の場合には、上記実施例の第１および第２係止部に替えて、取手１０２ｆが、対向する位置に一対配置されている。各取手１０２ｆは、折返し部１０１ｆと一体に形成されていて、各取手１０２ｆの内面側には、折曲形成された突出部１１１ｆが設けられているとともに、この突出部１１１ｆの両側には、弾性変形をし易くするための一対のスリット１１２ｆが切欠形成されている。
【００７１】
一方、標準計量皿１４ｆは、概略円形の本体部１４０ｆと、スカート部１４１ｆとを備えている。このように構成した計量皿１０ｆは、図１１（Ｂ）に示すように、標準計量皿１４ｆの上方から、これに被せるようにして、取付けられ、取付け状態においては、突出部１１１ｆがスカート部１４１ｆの外面に圧接することで、着脱可能に固定され、上記第１実施例と同等の作用効果が得られる。
【実施例８】
【００７２】
図１２は、本発明に係る計量皿の第８実施例およびその変形例を示しており、上記実施例と同一もしくは相当する部分には、それぞれ対応した符号を付して、その説明を省略するとともに、以下にその特徴点についてのみ詳述する。
【００７３】
この図に示した計量皿１０ｇは、上記実施例と同様に、平坦部１００ｇと、折返し部１０１ｇとを有している。本実施例の場合、平坦部１００ｇの形状は、標準計量皿１４ｇの本体部１４０ｇの形状と相似形であってそれよりも若干大きな相似形状になっている。
【００７４】
そして、折返し部１０１ｇの内面には、対向する位置に一対の突起１１３ｇが突出形成されている。一方、標準計量皿１４ｇは、上記実施例と同様に、本体部１４０ｇと、スカート部１４１ｇとを備え、スカート部１４１ｇには、図１２（Ｃ）に示すように、突起１１３ｇの挿入が可能な、上端に開口したＬ字形の凹溝１４６ｇが設けられている。
【００７５】
このように構成した計量皿１０ｇは、突起１１３ｇを凹溝１４６ｇに挿入しながら、標準計量皿１４ｇに被せるようにして取付け、その後、計量皿１０ｇを回転させることで、着脱可能に固定され、上記第１実施例と同等の作用効果が得られる。
【００７６】
この場合、凹溝１４６ｇの形状は、図１２（Ｃ）に示したＬ字形に限る必要はなく、例えば、同図（Ｄ）に示すように、所定方向に傾斜した凹溝１４６ｇ’であっても良い。
【実施例９】
【００７７】
図１３は、本発明に係る計量皿の第９実施例およびその変形例を示しており、上記実施例と同一もしくは相当する部分には、それぞれ対応した符号を付して、その説明を省略するとともに、以下にその特徴点についてのみ詳述する。
【００７８】
この図に示した計量皿１０ｈは、上記実施例と同様に、平坦部１００ｈと、折返し部１０１ｈとを有している。本実施例の場合、平坦部１００ｈの形状は、標準計量皿１４ｈの本体部１４０ｈの形状と相似形であってそれよりも若干大きな相似形状になっている。
【００７９】
そして、折返し部１０１ｈの内面には、図１３（Ｃ）に示すように、対向する位置に一対の切欠溝１１４ｈが形成されている。切欠溝１１４ｈは、下端側が開口し、奥側が鍵状に折曲したＬ字状になっている。一方、標準計量皿１４ｈは、上記実施例と同様に、本体部１４０ｈと、スカート部１４１ｈとを備え、スカート部１４１ｈには、切欠溝１１４ｈに挿入が可能な、突起１４７ｈが突出形成されている。
【００８０】
このように構成した計量皿１０ｈは、突起１４７ｈを切欠溝１１４ｈに挿入しながら、標準計量皿１４ｈに被せるようにして取付け、その後、計量皿１０ｈを回転させることで、着脱可能に固定され、上記第９実施例と同等の作用効果が得られる。
【００８１】
この場合、切欠溝１１４ｈの形状は、図１３（Ｃ）に示したＬ字形に限る必要はなく、例えば、同図（Ｄ）に示すように、所定方向に傾斜した切欠溝１１４ｈ’であっても良い。
【実施例１０】
【００８２】
図１４，１５は、本発明に係る計量皿の第１０実施例を示しており、上記実施例と同一もしくは相当する部分には、それぞれ対応した符号を付して、その説明を省略するとともに、以下にその特徴点についてのみ詳述する。
【００８３】
この図に示した計量皿１０ｉは、上記実施例と同様に、平坦部１００ｉと、折返し部１０１ｉとを有している。折返し部１０１ｉの下端には、取手１０２ｉが設けられている。取手１０２ｉの先端には、第１係止部１０３ｉが設けられ、これとほぼ対向する位置に第２係止部１０４ｉが設けられている。
【００８４】
計量皿１０ｉの平坦部１００ｉの表面側には、図１４に示すように、ＦＲＯＮＴの文字と▽印とが外周縁に施されている。また、取手１０２ｉの表面には、ＵＰの文字が施されている。
【００８５】
これらの文字や記号は、刻印や印刷などにより設けられているものであって、ＦＲＯＮＴと▽は、計量皿１０ｉの装着方向を示しており、装着方向の認識部となっている。また、取手１０２ｉに施されたＵＰの文字は、取手１０２ｉにより変形を与える際に、その操作方向を示唆するために施されている。なお、取手１０２ｉに施す文字は、操作の参考となるものであっても良い。
【００８６】
本実施例の場合、取手１０２ｉは、計量皿１０ｉの表面側から見て、平行な切欠部が設けられた平坦部１００ｉの中心軸に対して、右方向に所定角度だけシフトした位置に設けられている。この右シフトは、右ききの人の操作性を考慮したものであり、また、計量器本体１２の形状が長方形である場合に、平坦部１００ｉの外方に突出する取手１０２ｉが、本体１２の長方形よりも外側に突出すると、本体１２の長手方向の一方の側面を下にして立てる際に、その障害になることを回避する意味もある。
【００８７】
さらに、本実施例の場合、図１５に示すように、折返し部１０１ｉの内面側にあって、第２係止部１０４ｉの近傍であって、かつ、取手１０２ｉとほぼ対向する位置には、小突起１５０ｉが、刻印により突出形成されている。また、取手１０２ｉの背面側にも小突起１５０ｉが突出形成されている。これらの小突起１５０ｉは、計量皿１０ｉを装着する時の方向認識を可能にする認識部であり、記号以外に文字であっても良いし、その形成手段も刻印以外に、印刷や塗着などであっても良い。
【００８８】
さて、以上のように構成した実施例１０によれば、計量皿１０ｉは、表面に装着時の方向認識を可能にする小突起１５０ｉと記号，文字（ＦＲＯＮＴと▽）からなる認識部が、印刷，塗布，刻印などの手段により施され、また、取手１０２ｉ（変形付与）は、変形を与える時の操作の参考となる記号，文字などの操作表現示唆部（ＵＰ）を近傍に施されているので、使用に当たって操作性が大きく向上する。
【００８９】
なお、上記実施例では、計量皿の被固定部として標準計量皿を例示したが、本発明の実施はこれに限定されることはなく、被固定部は、例えば、皿受けや計量機構部であっても良い。
【産業上の利用可能性】
【００９０】
本発明にかかる計量皿は、簡単に着脱できるので、衛生上洗浄を頻繁に行う必要がある場合などで有効に活用することができる。
【図面の簡単な説明】
【００９１】
【図１】本発明にかかる計量皿の第１実施例を示す全体側面図である。
【図２】図１に示した計量皿を取付けた状態の上面説明図である。
【図３】図２の要部断面図である。
【図４】本発明に係る計量皿の第２実施例を示す平面説明図である。
【図５】図４に示した状態から計量皿をスライド移動させた状態の平面説明図である。
【図６】図４に示した計量皿の側面図である。
【図７】本発明に係る計量皿の第３実施例を示す分解説明図と取付け状態の断面説明図である。
【図８】本発明に係る計量皿の第４実施例を示す分解説明図と取付け状態の断面説明図である。
【図９】本発明に係る計量皿の第５実施例を示す分解説明図と取付け状態の断面説明図である。
【図１０】本発明に係る計量皿の第６実施例を示す分解説明図と取付け状態の断面説明図および要部側面図である。
【図１１】本発明に係る計量皿の第７実施例を示す分解説明図と、取付け状態の断面説明図と、上面説明図と、要部側面図である。
【図１２】本発明に係る計量皿の第８実施例を示す分解説明図と、取付け状態の断面説明図と、要部側面図と、同変形例の要部側面図である。
【図１３】本発明に係る計量皿の第９実施例を示す分解説明図と、取付け状態の断面説明図と、要部側面図と、同変形例の要部側面図である。
【図１４】本発明に係る計量皿の第１０実施例を示す平面図である。
【図１５】図１４の背面図である。
【符号の説明】
【００９２】
１０        計量皿
１００      平坦部
１０１      折返し部
１０２      取手
１０３      第１係止部
１０４      第２係止部
１２        計量器本体
１４        標準計量皿
１４０      本体部
１４１      スカート部
【図１】
2006275893.tif 000003
【図２】
2006275893.tif 000004
【図３】
2006275893.tif 000005
【図４】
2006275893.tif 000006
【図５】
2006275893.tif 000007
【図６】
2006275893.tif 000008
【図７】
2006275893.tif 000009
【図８】
2006275893.tif 000010
【図９】
2006275893.tif 000011
【図１０】
2006275893.tif 000012
【図１１】
2006275893.tif 000013
【図１２】
2006275893.tif 000014
【図１３】
2006275893.tif 000015
【図１４】
2006275893.tif 000016
【図１５】
2006275893.tif 000017